(57)【要約】【課題】コストの上昇を抑制しつつ、異常の発生を早期に検知することが可能な画像形成装置及び異常検知方法を提供すること。【解決手段】電流センサー４２は、電源回路４１から複数の駆動部に供給される総電流値を検出する。判定処理部１７１は、電流センサー４２により検出される総電流値が予め定められた基準範囲から外れている場合に、異常が生じていると判定する。特定処理部１７２は、判定処理部１７１により異常が生じていると判定された場合に、前記駆動部を個別に順次に駆動しつつ、電流センサー４２により検出される総電流値に基づいて、異常が生じている前記駆動部を特定する。【選択図】図６
2020109443.tif 000002
【特許請求の範囲】
【請求項１】
電源回路と、
前記電源回路からの電流が供給される複数の駆動部と、
前記電源回路から前記複数の駆動部に供給される総電流値を検出する総電流検出部と、
前記総電流検出部により検出される総電流値が予め定められた基準範囲から外れている場合に、異常が生じていると判定する判定処理部と、
前記判定処理部により異常が生じていると判定された場合に、前記駆動部を個別に順次に駆動しつつ、前記総電流検出部により検出される総電流値に基づいて、異常が生じている前記駆動部を特定する特定処理部と、
を備える画像形成装置。
【請求項２】
前記画像形成装置の動作状態ごとに前記基準範囲が予め定められている、
請求項１に記載の画像形成装置。
【請求項３】
前記駆動部各々を単独で駆動した場合に前記総電流検出部により検出される総電流値の基準範囲を個別基準範囲として記憶する記憶部を更に備える、
請求項１に記載の画像形成装置。
【請求項４】
前記判定処理部は、前記総電流検出部により検出される総電流値が、現在駆動中の一又は複数の前記駆動部に対応する前記個別基準範囲に基づいて算出される基準範囲から外れている場合に、異常が生じていると判定する、
請求項３に記載の画像形成装置。
【請求項５】
前記特定処理部は、前記駆動部各々を単独で駆動した場合に前記総電流検出部により検出される総電流値が、現在駆動中の駆動部に対応する前記個別基準範囲から外れている場合に、現在駆動中の駆動部を異常が生じている駆動部として特定する、
請求項３又は請求項４に記載の画像形成装置。
【請求項６】
電源回路と、前記電源回路からの電流が供給される複数の駆動部と、前記電源回路から前記複数の駆動部に供給される総電流値を検出する総電流検出部とを備える画像形成装置における異常検知方法であって、
前記総電流検出部により検出される総電流値が予め定められた基準範囲から外れている場合に、異常が生じていると判定する判定ステップと、
前記判定ステップで異常が生じていると判定された場合に、前記駆動部を個別に順次に駆動しつつ、前記総電流検出部により検出される総電流値に基づいて、異常が生じている前記駆動部を特定する特定ステップと、
を含む異常検知方法。
【発明の詳細な説明】
【技術分野】
【０００１】
本発明は、画像形成装置及び異常検知方法に関する。
【背景技術】
【０００２】
ポリゴンモータ、ソレノイド、クラッチなどの複数の負荷に供給される電流値を１つの電流検知回路により検出し、前記電流検知回路により検出される電流値に基づいて、これらの負荷の故障診断を行うことが可能なプリンターが知られている（例えば、特許文献１参照）。
【０００３】
前記プリンターでは、各負荷に流れる電流を１つの電流検知回路により検出するので、コストの上昇を抑制することができる。
【先行技術文献】
【特許文献】
【０００４】
【特許文献１】特開２００１−２２８０５６号公報
【発明の概要】
【発明が解決しようとする課題】
【０００５】
前記プリンターにおける故障診断では、第１の判定処理及び第２の判定処理が順次に実行される。前記第１の判定処理では、全ての負荷がオフされた状態で電流値（初期電流値）が検出されて、当該初期電流値が所定値より大きいか否かが判定される。前記第２の判定処理では、各負荷が１つずつ順番に駆動され、その際に検出される電流値が前記初期電流値より増加したか否かが判定される。そして、前記第１の判定処理及び前記第２の判定処理の判定結果に応じて、各負荷の異常が検知される。
【０００６】
すなわち、前記プリンターでは、異常を検知するために前記第１の判定処理及び前記第２の判定処理を実行する必要がある。よって、例えばプリントジョブの実行中にいずれかの負荷に異常が発生したとしても、前記第１の判定処理及び前記第２の判定処理が実行されるまでは異常の発生を検知することができない。
【０００７】
本発明の目的は、コストの上昇を抑制しつつ、異常の発生を早期に検知することが可能な画像形成装置及び異常検知方法を提供することにある。
【課題を解決するための手段】
【０００８】
本発明の一の局面に係る画像形成装置は、電源回路と、複数の駆動部と、総電流検出部と、判定処理部と、特定処理部とを備える。前記複数の駆動部には、前記電源回路からの電流が供給される。前記総電流検出部は、前記電源回路から前記複数の駆動部に供給される総電流値を検出する。前記判定処理部は、前記総電流検出部により検出される総電流値が予め定められた基準範囲から外れている場合に、異常が生じていると判定する。前記特定処理部は、前記判定処理部により異常が生じていると判定された場合に、前記駆動部を個別に順次に駆動しつつ、前記総電流検出部により検出される総電流値に基づいて、異常が生じている前記駆動部を特定する。
【０００９】
本発明の他の局面に係る異常検知方法は、電源回路と、前記電源回路からの電流が供給される複数の駆動部と、前記電源回路から前記複数の駆動部に供給される総電流値を検出する総電流検出部とを備える画像形成装置における異常検知方法である。前記異常検知方法は、判定ステップと、特定ステップとを含む。前記判定ステップでは、前記総電流検出部により検出される総電流値が予め定められた基準範囲から外れている場合に、異常が生じていると判定される。前記特定ステップでは、前記判定ステップで異常が生じていると判定された場合に、前記駆動部が個別に順次に駆動され、前記総電流検出部により検出される総電流値に基づいて、異常が生じている前記駆動部が特定される。
【発明の効果】
【００１０】
本発明によれば、コストの上昇を抑制しつつ、異常の発生を早期に検知することが可能な画像形成装置及び異常検知方法が提供される。
【図面の簡単な説明】
【００１１】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の構成を示す図である。
【図４】図４は、本発明の実施形態に係る画像形成装置で用いられる基準情報の一例を示す図である。
【図５】図５は、本発明の実施形態に係る画像形成装置で用いられる個別基準情報の一例を示す図である。
【図６】図６は、本発明の実施形態に係る画像形成装置で実行される異常検知処理の手順の一例を示すフローチャートである。
【図７】図７は、本発明の実施形態に係る画像形成装置で用いられる基準情報の変形例を示す図である。
【図８】図８は、本発明の実施形態に係る画像形成装置で用いられる個別基準情報の変形例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
図１及び図２に示されるように、本発明の実施形態に係る画像形成装置１は、操作表示部１１、ＡＤＦ（Ａｕｔｏ  Ｄｏｃｕｍｅｎｔ  Ｆｅｅｄｅｒ）１２、画像読取部１３、画像形成部１４、通信Ｉ／Ｆ１５、記憶部１６、制御部１７などを備える。具体的に、画像形成装置１は、プリンター機能、スキャナー機能、コピー機能、及びファクシミリ機能などを有する複合機である。なお、本発明は、複合機に限らず、コピー機、プリンター、ファクシミリ装置のような任意の画像形成装置に適用可能である。
【００１４】
操作表示部１１は、情報を表示する液晶ディスプレーなどの表示部と、ユーザー操作を受け付けるタッチパネル及び操作ボタンなどの操作部とを備える。
【００１５】
ＡＤＦ１２は、原稿セット部、搬送ローラー、原稿押さえ、及び排紙部を備え、画像読取部１３の読み取り対象となる原稿を搬送する自動原稿搬送装置である。
【００１６】
画像読取部１３は、原稿台、光源、ミラー、光学レンズ、及びＣＣＤ（Ｃｈａｒｇｅ  Ｃｏｕｐｌｅｄ  Ｄｅｖｉｃｅ）を備え、原稿の画像を読み取って画像データとして出力することが可能である。
【００１７】
画像形成部１４は、電子写真方式又はインクジェット方式で画像データに基づく印刷処理を実行することが可能であり、前記画像データに基づいてシート上に画像を形成する。例えば、画像形成部１４が電子写真方式の画像形成部である場合、画像形成部１４は感光体ドラム、帯電器、露光装置、現像装置、転写装置、及び定着装置などを備える。
【００１８】
通信Ｉ／Ｆ１５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１９】
記憶部１６は、ハードディスク又はＥＥＰＲＯＭ（登録商標）などの不揮発性の記憶部である。記憶部１６には、制御部１７によって実行される各種の制御プログラム、及び各種のデータなどが記憶される。また、記憶部１６には、後述の基準情報Ｄ１（図４）及び個別基準情報Ｄ２（図５）が記憶される。
【００２０】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
画像形成装置１は、上下二段に配置された２つの給紙装置２１，３１を備える。上側の給紙装置２１は、画像形成部１４の最下部に筐体２０と一体に設けられている。下側の給紙装置３１は、画像形成部１４の筐体２０の底面にオプションデバイスとして着脱可能に構成された増設タイプのものである。なお、ＡＤＦ１２も、画像形成部１４の筐体２０に着脱可能に構成されたオプションデバイスである。
【００２２】
画像形成装置１には、モータ、ソレノイド、クラッチ、ファンなど、電源回路４１（図３参照）からの電流が供給される複数の駆動部が設けられている。
【００２３】
ところで、ポリゴンモータ、ソレノイド、クラッチなどの複数の負荷に供給される電流値を１つの電流検知回路により検出し、前記電流検知回路により検出される電流値に基づいて、これらの負荷の故障診断を行うことが可能なプリンターが知られている。前記プリンターでは、各負荷に流れる電流を１つの電流検知回路により検出するので、コストの上昇を抑制することができる。前記プリンターにおける故障診断では、第１の判定処理及び第２の判定処理が順次に実行される。前記第１の判定処理では、全ての負荷がオフされた状態で電流値（初期電流値）が検出されて、当該初期電流値が所定値より大きいか否かが判定される。前記第２の判定処理では、各負荷が１つずつ順番に駆動され、その際に検出される電流値が前記初期電流値より増加したか否かが判定される。そして、前記第１の判定処理及び前記第２の判定処理の判定結果に応じて、各負荷の異常が検知される。すなわち、前記プリンターでは、異常を検知するために前記第１の判定処理及び前記第２の判定処理を実行する必要がある。よって、例えばプリントジョブの実行中にいずれかの負荷に異常が発生したとしても、前記第１の判定処理及び前記第２の判定処理が実行されるまでは異常の発生を検知することができない。これに対して、本実施形態に係る画像形成装置１によれば、コストの上昇を抑制しつつ、異常の発生を早期に検知することが可能である。
【００２４】
図３に示されるように、画像形成装置１は、電源回路４１と、電流センサー４２と、複数の内蔵駆動部４３（具体的には、内蔵駆動部４３Ａ，４３Ｂ，４３Ｃ）と、複数のオプション駆動部４４（具体的には、オプション駆動部４４Ａ，４４Ｂ）とを備える。電流センサー４２は、本発明の総電流検出部の一例である。内蔵駆動部４３及びオプション駆動部４４は、本発明の駆動部の一例である。
【００２５】
電源回路４１は、複数の内蔵駆動部４３及び複数のオプション駆動部４４に対して直流電圧（例えば、＋２４Ｖ）を印加する。これにより、内蔵駆動部４３及びオプション駆動部４４に電源回路４１からの電流が供給される。
【００２６】
内蔵駆動部４３は、筐体２０に設けられたモータ、ソレノイド、クラッチ、ファンなどの駆動部である。なお、図３では３つの内蔵駆動部４３が図示されているが、内蔵駆動部４３の数は３つに限らず、３つ未満又は４つ以上であってもよい。
【００２７】
オプション駆動部４４は、ＡＤＦ１２又は給紙装置３１のように筐体２０に着脱可能に構成されたオプションデバイス（もしくは、当該オプションデバイスに設けられたモータ、ソレノイド、クラッチ、ファンなどの駆動部）である。オプション駆動部４４には、例えば不図示のコネクタを介して、電源回路４１からの電流が供給される。なお、図３は、オプション駆動部４４Ａ及びオプション駆動部４４Ｂの２つのオプション駆動部４４（具体的には、オプション駆動部４４Ａ，４４Ｂ）が筐体２０に装着されている状態を示しているが、筐体２０に装着されるオプション駆動部４４の数及び種類は任意である。例えば、筐体２０にオプション駆動部４４が１つも装着されないこともあり得るし、筐体２０にオプション駆動部４４が１つだけ装着されることもあり得る。また、筐体２０にオプション駆動部４４が３つ以上装着されることもあり得る。
【００２８】
なお、以下では、内蔵駆動部４３及びオプション駆動部４４を特に区別する必要がない場合に、これらを単に「駆動部」と総称することがある。
【００２９】
電流センサー４２は、電源回路４１から複数の駆動部に対して供給される総電流値を検出するためのセンサーである。電流センサー４２は、例えば、電流センサー４２から延びる電源ライン上に設けられた抵抗値の低い抵抗器である。制御部１７には、電流センサー４２により検出される総電流値に応じた電圧のアナログ信号が入力される。
【００３０】
図２に示されるように、制御部１７は、判定処理部１７１及び特定処理部１７２を含む。なお、制御部１７は、前記制御プログラムに従って各種の処理を実行することにより、これらの各処理部として機能する。また、制御部１７は、これらの処理部の一部又は複数の処理機能を実現するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のような電子回路を備えるものであってもよい。
【００３１】
判定処理部１７１は、電流センサー４２により検出される総電流値が予め定められた基準範囲（すなわち、正常であるとみなされる範囲）から外れている場合に、異常が生じていると判定する。なお、判定処理部１７１による判定は、画像形成装置１の動作状態に関わらず、任意のタイミングで行われてもよい。例えば、画像形成装置１の電源がオンになっている間、予め定められた周期で定期的に前記判定が行われてもよい。このように、本実施形態に係る画像形成装置１では、電流センサー４２により検出される総電流値が予め定められた基準範囲から外れている場合に、画像形成装置１のいずれかの箇所において何らかの異常が生じていると判定されるので、コストの上昇を抑制しつつ、異常の発生を早期に検知することが可能である。
【００３２】
図４に示される基準情報Ｄ１のように、前記基準範囲が、画像形成装置１の動作状態ごとに予め定められていてもよい。画像形成装置１の動作状態は、例えば、省電力モード中、ウォームアップ中、プリント動作中、スタンバイ中、コピー動作中、スキャン動作中などである。電源回路４１から供給される総電流値は、画像形成装置１の動作状態に応じて変化する。例えば、画像形成装置１の動作状態が省電力モード中である場合は、電源回路４１から供給される総電流値は相対的に小さいが、画像形成装置１の動作状態がウォームアップ中である場合は、定着装置において加熱処理が行われるので、電源回路４１から供給される総電流値は相対的に大きくなる。また、画像形成装置１の動作状態がスキャン動作中の場合は、画像形成部１４による印刷処理は行われないので、電源回路４１から供給される総電流値は相対的に小さいが、画像形成装置１の動作状態がコピー動作中の場合は、画像形成部１４による印刷処理が行われるので、電源回路４１から供給される総電流値は相対的に大きくなる。よって、画像形成装置１の動作状態ごとに基準範囲を変更することによって、判定処理部１７１は、異常が生じているか否かを適切に判定することができる。
【００３３】
なお、図４に示される基準情報Ｄ１では、総電流値の基準範囲として上限値が定められている。よって、判定処理部１７１は、駆動部における短絡（例えば、レアショート）のような異常を検知することができる。なお、他の実施形態では、基準情報Ｄ１において、総電流値の基準範囲として上限値に加えて下限値が定められていてもよい。これにより、判定処理部１７１は、駆動部における短絡（例えば、レアショート）のような異常に加えて、駆動部における断線のような異常も検知することができる。
【００３４】
なお、他の実施形態では、前記基準範囲が、現在駆動中の駆動部の組み合わせに応じて、個別基準情報Ｄ２に基づいて随時算出されてもよい。図５に示されるように、個別基準情報Ｄ２には、駆動部各々を単独で駆動した場合に電流センサー４２により検出される総電流値の基準範囲（すなわち、正常であるとみなされる範囲）が個別基準範囲として定められている。例えば、現在駆動中の駆動部が駆動部Ａ及び駆動部Ｃである場合、駆動部Ａに対応する個別基準範囲（図５に示される上限値Ｌａ）と駆動部Ｃに対応する個別基準範囲（図５に示される上限値Ｌｃ）とに基づいて前記基準範囲が算出されてもよい。例えば、いずれの駆動部も駆動していない状態で電流センサー４２により検出される総電流値をＬ０とした場合に、（Ｌａ−Ｌ０）＋（Ｌｃ−Ｌ０）により算出される値を、前記基準範囲の上限値として用いてもよい。
【００３５】
特定処理部１７２は、判定処理部１７１により異常が生じていると判定された場合に、前記駆動部を個別に順次に駆動しつつ、電流センサー４２により検出される総電流値に基づいて、異常が生じている駆動部を特定する。例えば、特定処理部１７２は、図５に示される個別基準情報Ｄ２に基づいて、前記駆動部各々を単独で駆動した場合に電流センサー４２により検出される総電流値が、現在駆動中の駆動部に対応する個別基準範囲から外れている場合に、現在駆動中の駆動部を異常が生じている駆動部として特定してもよい。
【００３６】
次に、図６を参照しつつ、制御部１７によって実行される異常検知処理の手順の一例について説明する。ここで、ステップＳ１，Ｓ２，・・・は、制御部１７により実行される処理手順（ステップ）の番号を表している。なお、前記異常検知処理は、例えば、画像形成装置１の電源がオンされたことに応じて開始され、その後、画像形成装置１の電源がオフされたことに応じて終了される。
【００３７】
＜ステップＳ１＞
まず、ステップＳ１において、制御部１７は、電流センサー４２により検出される総電流値を取得する。
【００３８】
＜ステップＳ２＞
ステップＳ２において、制御部１７は、前記ステップＳ１で取得された総電流値が予め定められた基準範囲内であるか否かを判断する。例えば、制御部１７は、図４に示される基準情報Ｄ１から、画像形成装置１の現在の動作状態に対応する基準範囲を取得する。そして、制御部１７は、前記ステップＳ１で取得された総電流値が、基準情報Ｄ１から取得された基準範囲内である場合に、前記ステップＳ１で取得された総電流値が予め定められた基準範囲内であると判断する。前記ステップＳ１で取得された総電流値が予め定められた基準範囲内であると判断されると（Ｓ２：Ｙｅｓ）、処理が前記ステップＳ１に戻る。一方、前記ステップＳ１で取得された総電流値が予め定められた基準範囲から外れていると判断されると（Ｓ２：Ｎｏ）、制御部１７は、異常が生じていると判定し、処理がステップＳ３に移行する。当該ステップＳ２の処理は、制御部１７の判定処理部１７１により実行される。当該ステップＳ２は、本発明の判定ステップの一例である。
【００３９】
＜ステップＳ３＞
ステップＳ３において、制御部１７は、電源回路４１からの電流が供給される複数の駆動部（内蔵駆動部４３又はオプション駆動部４４）の中から、異常箇所を特定するための検査対象となる駆動部を１つ選択する。
【００４０】
＜ステップＳ４＞
ステップＳ４において、制御部１７は、電源回路４１からの電流が供給される複数の駆動部（内蔵駆動部４３又はオプション駆動部４４）のうち、前記ステップＳ３で検査対象として選択された駆動部（以下、検索対象駆動部と称する）のみを駆動させる。
【００４１】
＜ステップＳ５＞
ステップＳ５において、制御部１７は、電流センサー４２により検出される総電流値を取得する。
【００４２】
＜ステップＳ６＞
ステップＳ６において、制御部１７は、前記ステップＳ５で取得された総電流値が、前記検査対象駆動部に対応する個別基準範囲内であるか否かを判断する。例えば、制御部１７は、図５に示される個別基準情報Ｄ２から、前記検査対象駆動部に対応する個別基準範囲を取得する。そして、制御部１７は、前記ステップＳ５で取得された総電流値が、個別基準情報Ｄ２から取得された個別基準範囲内である場合に、前記ステップＳ５で取得された総電流値が、前記検査対象駆動部に対応する個別基準範囲内であると判断する。前記ステップＳ５で取得された総電流値が、前記検査対象駆動部に対応する個別基準範囲内であると判断されると（Ｓ６：Ｙｅｓ）、処理がステップＳ８に移行する。一方、前記ステップＳ５で取得された総電流値が、前記検査対象駆動部に対応する個別基準範囲から外れていると判断されると（Ｓ６：Ｎｏ）、処理がステップＳ７に移行する。
【００４３】
＜ステップＳ７＞
ステップＳ７において、制御部１７は、前記検査対象駆動部が異常な駆動部であると判定する。すなわち、制御部１７は、前記検査対象駆動部を、異常な駆動部として特定する。そして、処理がステップＳ１０に移行する。当該ステップＳ７の処理は、制御部１７の特定処理部１７２により実行される。当該ステップＳ７は、本発明の特定ステップの一例である。
【００４４】
＜ステップＳ８＞
一方、ステップＳ８において、制御部１７は、電源回路４１からの電流が供給される全ての駆動部（内蔵駆動部４３又はオプション駆動部４４）が、前記ステップＳ３において検査対象として選択済みであるか否かを判断する。そして、全ての駆動部が検査対象として選択済みであると判断されると（Ｓ８：Ｙｅｓ）、処理がステップＳ９に移行する。一方、検査対象として選択されていない駆動部がまだ残っていると判断されると（Ｓ８：Ｎｏ）、処理が前記ステップＳ３に戻る。
【００４５】
＜ステップＳ９＞
ステップＳ９において、前記駆動部（内蔵駆動部４３又はオプション駆動部４４）以外の箇所に異常が生じていると判定する。そして、処理がステップＳ１０に移行する。
【００４６】
＜ステップＳ１０＞
ステップＳ１０において、制御部１７は、前記ステップＳ７又は前記ステップＳ９で特定された異常箇所に応じた異常処理を実行する。例えば、制御部１７は、前記ステップＳ７又は前記ステップＳ９で特定された異常箇所において異常が生じている旨を、操作表示部１１を通じてユーザーに通知してもよい。また、制御部１７は、不図示の電源遮断回路を制御して、前記ステップＳ９で異常が生じていると判定された駆動部を含む一又は複数の駆動部への電力供給を一時的に遮断してもよい。また、制御部１７は、前記ステップＳ９で異常が生じていると判定された駆動部を含む一又は複数の駆動部の駆動を一時的に禁止してもよい。また、制御部１７は、前記ステップＳ９で異常が生じていると判定された駆動部に応じて、当該駆動部を使用するジョブ（プリントジョブ、コピージョブ、スキャンジョブなど）の実行を一時的に禁止してもよい。また、制御部１７は、電源回路４１を制御して、電源回路４１からの電力供給を一時的に停止させてもよい。こうして、前記異常検知処理は終了する。
【００４７】
以上のように、本実施形態に係る画像形成装置１では、電流センサー４２により検出される総電流値が予め定められた基準範囲から外れている場合に、異常が生じていると判定される。そして、異常が生じていると判定された場合に、駆動部を個別に順次に駆動しつつ、電流センサー４２により検出される総電流値に基づいて、異常が生じている駆動部が特定される。よって、本実施形態に係る画像形成装置１によれば、コストの上昇を抑制しつつ、異常の発生を早期に検知することが可能である。
【００４８】
なお、図４に示される基準情報Ｄ１では、画像形成装置１の動作状態ごとに総電流値の基準範囲が定められている。しかしながら、電流センサー４２により検出される総電流値は、画像形成装置１の動作状態が同じであっても、筐体２０に装着されているオプション駆動部４４の組み合わせに応じて変化することがある。そこで、他の実施形態では、図４に示される基準情報Ｄ１の代わりに、図７に示される基準情報Ｄ１が用いられてもよい。図７に示される基準情報Ｄ１では、筐体２０に装着中のオプション駆動部４４の組み合わせごとに総電流値の基準範囲が定められている。これにより、判定処理部１７１は、筐体２０に現在装着されているオプション駆動部４４の組み合わせに応じて、異常が生じているか否かを適切に判定することができる。
【００４９】
同様に、駆動部各々を単独で駆動した場合に電流センサー４２により検出される総電流値は、筐体２０に装着されているオプション駆動部４４の組み合わせに応じて変化することがある。そこで、他の実施形態では、図５に示される個別基準情報Ｄ２の代わりに、図８に示される個別基準情報Ｄ２が用いられてもよい。図８に示される個別基準情報Ｄ２では、筐体２０に装着中のオプション駆動部４４の組み合わせごとに個別基準範囲が定められている。これにより、特定処理部１７２は、筐体２０に現在装着されているオプション駆動部４４の組み合わせに応じて、異常が生じている駆動部を適切に特定することができる。
【００５０】
なお、筐体２０に現在装着されているオプション駆動部４４の種類を検出する方法としては、公知の任意の手法を採用することができる。例えば、筐体２０に装着されているオプション駆動部４４からの信号に基づいて、当該オプション駆動部４４の種類を特定してもよい。もしくは、筐体２０に装着されているオプション駆動部４４の組み合わせを、操作表示部１１を通じてユーザーに入力又は選択させてもよい。
【符号の説明】
【００５１】
１  画像形成装置
１１  操作表示部
１２  ＡＤＦ
１３  画像読取部
１４  画像形成部
１５  通信Ｉ／Ｆ
１６  記憶部
１７  制御部
１７１  判定処理部
１７２  特定処理部
２０  筐体
２１  給紙装置
３１  給紙装置
４１  電源回路
４２  電流センサー
４３  内蔵駆動部
４４  オプション駆動部
【図１】
2020109443.tif 000003
【図２】
2020109443.tif 000004
【図３】
2020109443.tif 000005
【図４】
2020109443.tif 000006
【図５】
2020109443.tif 000007
【図６】
2020109443.tif 000008
【図７】
2020109443.tif 000009
【図８】
2020109443.tif 000010